(57)【要約】【課題】エレベータにおいて、床面に施された意匠をいつもきれいな状態で見ることを可能とすることである。【解決手段】エレベータ１０は、床面に意匠が施された乗りかご２２と、乗りかご２２内の床面に載置され、意匠を視認できるように透明樹脂で構成された床面マット２４であって、上面に清掃用溝４０が設けられた床面マット２４と、を備え、清掃用溝４０は、溝の延びる方向が乗りかご２２内の乗降口３３に向けられている。【選択図】図２
2014108866.tif 000002
【特許請求の範囲】
【請求項１】
床面に意匠が施された乗りかごと、
前記乗りかご内の前記床面に載置され、前記意匠を視認できるように透明樹脂で構成された床面マットであって、上面に清掃用溝が設けられた床面マットと、
を備え、
前記清掃用溝は、溝の延びる方向が前記乗りかご内の乗降口に向けられていることを特徴とするエレベータ。
【請求項２】
請求項１に記載のエレベータにおいて、
前記清掃用溝は、前記乗りかご内の壁面から前記乗降口に向かって延びていることを特徴とするエレベータ。
【請求項３】
請求項１または請求項２に記載のエレベータにおいて、
前記清掃用溝は、前記上面に向かった先細り形状を有する複数の凸部により形成されていることを特徴とするエレベータ。
【発明の詳細な説明】
【技術分野】
【０００１】
本発明は、エレベータに係り、特に、床面に意匠が施された乗りかごを備えるエレベータに関する。
【背景技術】
【０００２】
現在、商業施設等には様々なタイプのエレベータが設置されている。エレベータの中には、乗りかごの床面に意匠が施されたものがある。そして、乗りかごの床面が傷つかないようにするために保護マットが載置されることがある。
【０００３】
特許文献１には、乗りかごの床面上に配置され、半球面体が上面に設けられた滑り止め部材が開示されている。
【０００４】
また、特許文献２には、平面意匠性の図柄を有する中間層上に積層される透明樹脂シートを有する合成樹脂製床タイルが開示されている。
【先行技術文献】
【特許文献】
【０００５】
【特許文献１】特開２００２−１２８４３０号公報
【特許文献２】実用新案登録第３１５９３９１号公報
【発明の概要】
【発明が解決しようとする課題】
【０００６】
ところで、意匠が施された床面上に保護マットが載置される場合には、保護マットを介して意匠を視認できることが望まれる。しかしながら、長時間経過すると保護マット上に埃等が溜まり、乗りかごの床面の意匠をきれいな状態で見ることができなくなる可能性がある。
【０００７】
本発明の目的は、床面に施された意匠をいつもきれいな状態で見ることが可能な保護マットを備えたエレベータを提供することである。
【課題を解決するための手段】
【０００８】
本発明に係るエレベータは、床面に意匠が施された乗りかごと、前記乗りかご内の前記床面に載置され、前記意匠を視認できるように透明樹脂で構成された床面マットであって、上面に清掃用溝が設けられた床面マットと、を備え、前記清掃用溝は、溝の延びる方向が前記乗りかご内の乗降口に向けられていることを特徴とする。
【０００９】
また、本発明に係るエレベータにおいて、前記清掃用溝は、前記乗りかご内の壁面から前記乗降口に向かって延びていることが好ましい。
【００１０】
また、本発明に係るエレベータにおいて、前記清掃用溝は、前記上面に向かった先細り形状を有する複数の凸部により形成されていることが好ましい。
【発明の効果】
【００１１】
上記構成によれば、床面マットの清掃用溝は、乗りかごの乗降口に向けられている。これにより、乗降口に向けて埃を掃き出して乗りかご内から埃を取り除くことができる。したがって、床面に施された意匠をいつもきれいな状態で見ることができる。
【図面の簡単な説明】
【００１２】
【図１】本発明に係る実施の形態のエレベータを示す図である。
【図２】本発明に係る実施の形態のエレベータの床面マットの平面図である。
【図３】本発明に係る実施の形態のエレベータの床面マットの第１変形例を示す図である。
【図４】本発明に係る実施の形態のエレベータの床面マットの第２変形例を示す図である。
【図５】本発明に係る実施の形態のエレベータの床面マットの第３変形例を示す図である。
【発明を実施するための形態】
【００１３】
以下、本発明の実施形態について図面を用いて説明する。以下ではすべての図面において同様の要素には同一の符号を付して説明する。
【００１４】
図１は、エレベータ１０を示す図である。エレベータ１０は、昇降路１２と、昇降路１２の下部に位置するピット１４と、主ロープ１６と、釣合錘１８と、主ロープ１６を駆動する巻上機２０と、乗りかご２２と、乗りかご２２内の床面に設けられる床面マット２４と、巻上機２０の駆動を制御する制御部２６とを備える。エレベータ１０は、各階の乗場間において、乗りかご２２を昇降させることができる装置である。
【００１５】
昇降路１２は、建物に上下に貫通して設けられる空間領域で、その中を乗りかご２２が昇降する領域である。ピット１４は、昇降路１２の下部に位置し、巻上機２０及び制御部２６等が配置されている。
【００１６】
主ロープ１６は、乗りかご２２及び釣合錘１８を吊るすためのロープであり、巻上機２０の作動によって駆動される。主ロープ１６の一方端は乗りかご２２に接続され、他方端は釣合錘１８に接続される。釣合錘１８の重さは、主ロープ１６の一方端に接続される乗りかご２２との間でバランスを取るように設定される。乗りかご２２は、所定の人数が乗り込める程度の広さの四角形の床面を有している。乗りかご２２の床面には、乗客の美感を生じるような意匠が施されている。
【００１７】
乗りかご２２の床面には、床面マット２４が載置される。図２は、床面マット２４の平面図である。床面マット２４は、乗りかご２２の床面のほぼ全域を覆うような四角形の形状を有する。床面マット２４は、床面に施された意匠を視認できるように透明樹脂で構成される。床面マット２４は、例えば、ポリプロピレンやポリエチレン等の軟質のオレフィン系樹脂や硬質のアクリル樹脂を用いて構成することができる。床面マット２４は、透明無色でも透明有色でもよい。
【００１８】
床面マット２４は、四角形の平面形状を有する本体部２８と、本体部２８の上面側に乗降口３３に向けて延びる複数のピラミッド部３０とを備える。複数のピラミッド部３０は、図２のＡ−Ａ線断面図に示されるように乗りかご２２の天井面に向かった先細り形状の凸部を有する。床面マット２４では、複数のピラミッド部３０が図２に示されるように４つのグループ３２，３４，３６，３８に分けて設けられる。それぞれのグループ３２，３４，３６，３８では、隣接するピラミッド部３０の間に清掃用溝４０が形成される。なお、ピラミッド部３０の断面は、先が尖った三角形であってもよく、先に丸みを帯びた略半球形であってもよい。
【００１９】
グループ３２及びグループ３４の清掃用溝４０は、乗りかご２２の奥側の壁面４２から乗降口３３に向けられて延びる。グループ３６及びグループ３８の清掃用溝４０は、乗りかご２２の側壁面４４，４６からそれぞれ乗降口３３に向けられて延びる。
【００２０】
複数のピラミッド部３０が配置されていない領域には、略十字形状の掃き出し溝２７が形成される。掃き出し溝２７は、清掃用溝４０の溝幅よりも大きい溝幅を有し、乗りかご２２の奥側の壁面４２の中央部から乗降口３３に渡って設けられる溝部４８と、乗りかご２２の両側壁面４４，４６の乗降口３３近傍に両側壁面４４，４６に渡って設けられる溝部５０とを備える。溝部５０は、グループ３２及びグループ３４の清掃用溝４０と接続する。溝部４８はグループ３６及びグループ３８の清掃用溝４０と接続する。
【００２１】
上記構成の床面マット２４を備えるエレベータ１０の作用について説明する。清掃員が、グループ３２及びグループ３４の清掃用溝４０に溜まった埃を乗降口３３に向けて掃き出すことで掃き出し溝２７の溝部５０に埃を集め、これらの埃を溝部５０の溝に沿って掃いて溝部４８に纏めることができる。また、グループ３６及びグループ３８の清掃用溝４０に溜まった埃を乗降口３３に向けて掃き出すことで溝部４８に埃を集める。このように溝部４８に埃を集め、溝部４８に溜められた埃を乗りかご２２の奥側の壁面４２から乗降口３３に向けて掃き出すことで乗りかご２２内の埃を取り除くことができる。これにより、床面マット２４上に埃が溜まってしまった場合であっても、乗降口３３に向けて埃を掃き出して床面マット２４上の埃を取り除くことができる。したがって、床面に施された意匠をいつもきれいな状態で見ることができる。なお、清掃用溝４０は、天井面に向かった先細り形状の複数のピラミッド部３０の間に形成されているため、箒等の清掃用具の先端が溝に入りやすいという利点がある。
【００２２】
次に、床面マット２４の第１変形例である床面マット５２について説明する。図３は、床面マット５２の平面図である。床面マット５２では、複数のピラミッド部３０が図３に示されるように５つのグループ５４，５６，５８，６０，６２に分けて設けられる。それぞれのグループ５４，５６，５８，６０，６２では、隣接するピラミッド部３０の間に清掃用溝６４が形成される。
【００２３】
グループ５４の清掃用溝６４は、乗りかご２２の奥側の壁面４２の中央部から乗降口３３に向けられて真っ直ぐ延びる。グループ５６の清掃用溝６４は、乗りかご２２の奥側の壁面４２の左側から真っ直ぐ伸びた後、乗降口３３に向かうように側壁面４６側に曲がる。グループ５８の清掃用溝６４は、乗りかご２２の奥側の壁面４２の右側から真っ直ぐ伸びた後、乗降口３３に向かうように側壁面４４側に曲がる。グループ６０，６２の清掃用溝６４は、それぞれ側壁面４４，４６から乗降口３３に向かうように、それぞれ反対側の側壁面４４，４６側に延びる。
【００２４】
複数のピラミッド部３０が配置されていない領域には、略Ｔ字形状の掃き出し溝６６が形成される。掃き出し溝６６は、グループ５４の清掃用溝６４と接続する溝部６８と、溝部６８の中央から乗降口３３に向けて伸びグループ５６，５８，６０，６２の清掃用溝６４と接続する溝部７０とを備える。
【００２５】
上記構成の床面マット５２を備えるエレベータの作用について説明する。清掃員が、グループ５４の清掃用溝４０に溜まった埃を掃き出すことで掃き出し溝６６の溝部６８に埃を集め、これらの埃を溝部６８の溝に沿って掃き出すことで溝部７０に埃を集める。また、グループ５６，５８，６０，６２の清掃用溝６４に溜まった埃を溝部７０に向けて掃き出して溝部７０に埃を集める。このように溝部７０に埃を集め、溝部７０に溜められた埃を乗降口３３に向けて掃き出すことで床面マット５２上に溜まった埃を取り除くことができる。したがって、床面に施された意匠をいつもきれいな状態で見ることができる。
【００２６】
次に、床面マット２４の第２変形例である床面マット７２について説明する。図４は、床面マット７２の平面図である。床面マット７２では、複数のピラミッド部３０が図４に示されるように３つのグループ７４，７６，７８に分けて設けられる。それぞれのグループ７４，７６，７８では、隣接するピラミッド部３０の間に清掃用溝８０が形成される。
【００２７】
グループ７４の清掃用溝８０は、乗りかご２２の奥側の壁面４２から乗降口３３に近づくにつれて溝幅を小さくしながら延びる。グループ７６，７８の清掃用溝８０は、乗りかご２２の側壁面４４，４６から乗降口３３に近づくにつれて溝幅を小さくしながら延びる。ここで、床面マット７２と床面マット２４との相違は、掃き出し溝２７を有しない点である。
【００２８】
上記構成の床面マット７２を備えるエレベータの作用について説明する。床面マット７２の清掃用溝８０は、乗りかご２２の乗降口３３に向けられている。清掃員が、グループ７４，７６，７８の清掃用溝８０に溜まった埃をそれぞれ奥側の壁面４２及び側壁面４４，４６から乗降口３３に向けて掃き出すことで床面マット７２上に溜まった埃を取り除くことができる。したがって、床面に施された意匠をいつもきれいな状態で見ることができる。
【００２９】
次に、床面マット２４の第３変形例である床面マット８２について説明する。図５は、床面マット８２の平面図である。ここで、上記エレベータ１０では、乗りかご２２の床面は四角形の形状であるとして説明したが、床面は円形の形状も存在し、床面マット８２はこれに対応した円形の形状を有している。床面マット８２では、隣接するピラミッド部３０の間に清掃用溝８４が形成される。床面マット８２の清掃用溝８４は、乗りかご２２の壁面４５から乗降口３３に近づくにつれて溝幅を小さくしながら延びる。
【００３０】
上記構成の床面マット８２を備えるエレベータの作用について説明する。床面マット８２の清掃用溝８４は、乗りかご２２の乗降口３３に向けられている。清掃員が、各清掃用溝８４に溜まった埃を壁面４５から乗降口３３に向けて掃き出すことで乗りかご２２内の埃を取り除くことができる。したがって、床面に施された意匠をいつもきれいな状態で見ることができる。
【符号の説明】
【００３１】
１０  エレベータ、１２  昇降路、１４  ピット、１６  主ロープ、１８  釣合錘、２０  巻上機、２２  乗りかご、２４，５２，７２，８２  床面マット、２６  制御部、２７，６６  掃き出し溝、２８  本体部、３０  ピラミッド部、３３  乗降口、４０，６４，８０，８４  清掃用溝、４２  奥側の壁面、４４，４６  側壁面、４８，５０，６８，７０  溝部。
【図１】
2014108866.tif 000003
【図２】
2014108866.tif 000004
【図３】
2014108866.tif 000005
【図４】
2014108866.tif 000006
【図５】
2014108866.tif 000007